(57)【要約】【課題】車両の運転中における操作の安全性を向上させる。【解決手段】上下左右の方向を指示するためのスクロールスイッチを押下する手動操作が運転者により行われると（Ｓ１０１：ＹＥＳ）、その操作内容に従い、ディスプレイに表示されている選択対象の複数の項目において暫定的な選択状態にある項目を変更し（Ｓ１０２）、選択状態となって項目の内容を音声出力する（Ｓ１０３）。また、決定ボタンを押下する手動操作が運転者により行われると（Ｓ１０４：ＹＥＳ）、選択状態にある項目の内容を音声出力し（Ｓ１０５）、これに対して完了ボタンを押下する手動操作が行われると（Ｓ１０７：ＹＥＳ）、その項目を選択項目として決定する（Ｓ１０８）。【選択図】図４
2009046082.tif 000002
【特許請求の範囲】
【請求項１】
情報を表示する表示手段と、
手動操作を検出する操作検出手段と、
音声を出力する音声出力手段と、
前記表示手段に表示されている選択対象の複数の項目において暫定的な選択状態にある項目を変更するための所定の選択操作が前記操作検出手段により検出された場合に、前記選択操作に従い前記選択状態にある項目を変更する選択状態変更手段と、
前記選択状態変更手段により前記選択状態にある項目が変更された場合に、選択状態となった項目の内容を表す音声を前記音声出力手段に出力させる選択状態報知手段と、
前記選択状態にある項目を選択項目として決定するための所定の決定操作が前記操作検出手段により検出された場合に、前記選択状態にある項目を選択項目として決定する選択状態決定手段と、
を備えることを特徴とする車両用操作装置。
【請求項２】
前記選択状態決定手段は、前記決定操作が前記操作検出手段により検出された場合に、前記選択状態にある項目の内容を表す音声を前記音声出力手段に再度出力させ、出力した音声の表す内容の項目で間違いないことを示すための所定の確認操作が前記操作検出手段により検出されたことを条件として、前記選択状態にある項目を選択項目として決定すること
を特徴とする請求項１に記載の車両用操作装置。
【請求項３】
車両の運転状況を検出する運転状況検出手段と、
前記運転状況検出手段により検出された運転状況が所定の作動条件を満たさない場合には、前記操作検出手段により検出される手動操作に基づく処理を禁止する禁止手段と、
を備えることを特徴とする請求項１又は請求項２に記載の車両用操作装置。
【請求項４】
前記作動条件を設定するための所定の設定操作が前記操作検出手段により検出された場合に、前記設定操作に従い前記作動条件を設定する条件設定手段を備えること
を特徴とする請求項３に記載の車両用操作装置。
【請求項５】
前記操作検出手段は、車両のステアリングホイールに配置されること
を特徴とする請求項１から請求項４までのいずれか１項に記載の車両用操作装置。
【請求項６】
前記操作検出手段は、前記選択操作を行うための操作部と前記決定操作を行うための操作部とがステアリングホイールの左右両側に分離して配置されること
を特徴とする請求項５に記載の車両用操作装置。
【請求項７】
音声を入力する音声入力手段と、
前記音声入力手段により入力された音声の認識結果を前記音声出力手段に出力させる音声反復手段と、
前記音声反復手段により出力された認識結果が誤っていることを示す所定の訂正操作が前記操作検出手段により検出された場合に、訂正候補としての文字又は文字列を前記選択対象の複数の項目として前記表示手段に表示させる訂正手段と、
を備えることを特徴とする請求項１から請求項６までのいずれか１項に記載の車両用操作装置。
【請求項８】
前記訂正手段は、前記訂正操作が前記操作検出手段により検出された場合に、前記認識結果を前記音声出力手段に１文字単位で出力させつつ誤認識されている文字を運転者に指定させ、誤認識されている文字の訂正候補としての文字又は文字列を前記選択対象の複数の項目として前記表示手段に表示させること
を特徴とする請求項７に記載の車両用操作装置。
【請求項９】
情報を表示する表示手段と、
手動操作を検出する操作検出手段と、
音声を出力する音声出力手段と、
を備えるコンピュータを、
前記表示手段に表示されている選択対象の複数の項目において暫定的な選択状態にある項目を変更するための所定の選択操作が前記操作検出手段により検出された場合に、前記選択操作に従い前記選択状態にある項目を変更する選択状態変更手段と、
前記選択状態変更手段により前記選択状態にある項目が変更された場合に、選択状態となった項目の内容を表す音声を前記音声出力手段に出力させる選択状態報知手段と、
前記選択状態にある項目を選択項目として決定するための所定の決定操作が前記操作検出手段により検出された場合に、前記選択状態にある項目を選択項目として決定する選択状態決定手段として機能させること
を特徴とする車両用操作プログラム。
【発明の詳細な説明】
【技術分野】
【０００１】
本発明は、車両に搭載され、運転者による操作が行われる車両用操作装置に関するものである。
【背景技術】
【０００２】
従来、例えばナビゲーション装置のように車両室内に設置された表示装置に情報を表示させて表示内容に基づく操作を運転者に行わせるものでは、選択対象となる複数の項目を表示装置に表示させてその中から所望の項目を運転者に選択させるという手法が利用される。具体的には、複数の項目のうちの１つが選択状態（暫定的な選択状態）にあり、上下左右スイッチ等による選択操作により選択状態にある項目を変更し、決定操作を行うことにより選択項目を決定する。
【０００３】
このような操作方法は、簡易的な操作によって種々の情報の入力が可能になるという利点があるものの、表示されている複数の項目のうちのどの項目が選択状態にあるかを視認しつつ操作を行う必要があることから、運転操作の妨げになることが考えられる。
【０００４】
そこで、運転中の余裕度に応じて操作可能なレベルを変更する構成が提案されている（特許文献１参照）。
【特許文献１】特開平１０−２２１０９４号公報
【発明の開示】
【発明が解決しようとする課題】
【０００５】
しかしながら、特許文献１に記載の構成では、表示装置に表示されている情報を視認しつつ操作を行わなければならないという問題については解消されていない。このため、運転中の余裕度が低い場合に操作を制限することで安全性を向上させることはできるものの、その分、操作可能な状況が限られてしまい、利便性が損なわれるという問題がある。
【０００６】
なお、音声認識を利用して音声操作を可能とする構成も実現されているが、このような構成では音声が誤認識されることがあり、その場合には表示装置に表示された情報を視認しつつ訂正操作を行う必要があるため、同様の問題が生じる。
【０００７】
本発明は、こうした問題にかんがみてなされたものであり、車両の運転中における操作の安全性を向上させることを目的としている。
【課題を解決するための手段】
【０００８】
上記目的を達成するためになされた本発明の請求項１に記載の車両用操作装置は、情報を表示する表示手段と、手動操作を検出する操作検出手段と、音声を出力する音声出力手段と、選択状態変更手段と、選択状態報知手段と、選択状態決定手段とを備えている。
【０００９】
そして、選択状態変更手段は、表示手段に表示されている選択対象の複数の項目において暫定的な選択状態にある項目を変更するための所定の選択操作が操作検出手段により検出された場合に、その選択操作に従い選択状態にある項目を変更する。
【００１０】
また、選択状態報知手段は、選択状態変更手段により選択状態にある項目が変更された場合に、選択状態となった項目の内容を表す音声を音声出力手段に出力させる。
そして、選択状態決定手段は、選択状態にある項目を選択項目として決定するための所定の決定操作が操作検出手段により検出された場合に、選択状態にある項目を選択項目として決定する。
【００１１】
このような車両用操作装置では、選択操作により選択状態にある項目を変更させるごとに、選択状態となった項目の内容が音声出力されるため、運転者は、表示されている複数の項目のうちどの項目が選択状態にあるかを、表示内容を視認することなく把握することができる。つまり、運転者は、表示内容を視認するために視線をそらすことなく、所望の項目を選択することが可能となる。
【００１２】
したがって、本発明の車両用操作装置によれば、表示内容を視認しつつ手動操作を行う場合に比べ、車両の運転中における操作の安全性を向上させることができる。
また、請求項２に記載の車両用操作装置では、選択状態決定手段は、決定操作が操作検出手段により検出された場合に、選択状態にある項目の内容を表す音声を音声出力手段に再度出力させる。そして、選択状態決定手段は、出力した音声の表す内容の項目で間違いないことを示すための所定の確認操作が操作検出手段により検出されたことを条件として、選択状態にある項目を選択項目として決定する。
【００１３】
このような車両用操作装置によれば、所望の項目とは異なる項目を誤って選択してしまうことを生じにくくすることができる。
また、請求項３に記載の車両用操作装置は、運転状況検出手段及び禁止手段を更に備えている。そして、この車両用操作装置では、運転状況検出手段により検出された運転状況が所定の作動条件を満たさない場合には、操作検出手段により検出される手動操作に基づく処理を禁止する。
【００１４】
このような車両用操作装置によれば、運転が妨げられにくい状況でのみ手動操作が許可されるようにすることが可能となるため、安全性を一層向上させることができる。
この場合、例えば請求項４に記載のように、条件設定手段を更に備え、条件設定手段が、作動条件を設定するための所定の設定操作が操作検出手段により検出された場合に、その設定操作に従い作動条件を設定するようにしてもよい。このようにすれば、運転者は、作動条件を運転技術や好み等に応じて変更することができる。
【００１５】
一方、請求項５に記載の車両用操作装置では、操作検出手段は、車両のステアリングホイールに配置される。このような車両用操作装置によれば、運転者は、運転中の手動操作をより安全に行うことができる。
【００１６】
具体的には、例えば請求項６に記載のように、操作検出手段は、選択操作を行うための操作部と決定操作を行うための操作部とがステアリングホイールの左右両側に分離して配置されるとよい。このような車両用操作装置によれば、誤操作により意に反した処理が実行されてしまうことを防ぐことができる。
【００１７】
また、請求項７に記載の車両用操作装置は、音声を入力する音声入力手段と、音声反復手段と、訂正手段とを更に備えている。そして、音声反復手段は、音声入力手段により入力された音声の認識結果を音声出力手段に出力させる。また、訂正手段は、音声反復手段により出力された認識結果が誤っていることを示す所定の訂正操作が操作検出手段により検出された場合に、訂正候補としての文字又は文字列を選択対象の複数の項目として表示手段に表示させる。
【００１８】
このような車両用操作装置によれば、音声認識による認識結果に誤りがある場合にも、表示内容を視認することなく認識結果を訂正することが可能となる。
また、請求項８に記載の車両用操作装置では、訂正手段は、訂正操作が操作検出手段により検出された場合に、認識結果を音声出力手段に１文字単位で出力させつつ誤認識されている文字を運転者に指定させ、誤認識されている文字の訂正候補としての文字又は文字列を選択対象の複数の項目として表示手段に表示させる。なお、認識結果を１文字単位で出力させる際のタイミングは、自動的なタイミング（一定時間ごと等）であってもよく、運転者からの指示に基づくタイミング（所定の操作時等）であってもよい。
【００１９】
このような車両用操作装置では、認識結果の文字列のうち、正しく認識されている文字についてはそのまま利用することができるため、認識結果の訂正を効率よく行うことができる。
【００２０】
次に、請求項９に記載の車両用操作プログラムは、情報を表示する表示手段と、手動操作を検出する操作検出手段と、音声を出力する音声出力手段とを備えるコンピュータを、表示手段に表示されている選択対象の複数の項目において暫定的な選択状態にある項目を変更するための所定の選択操作が操作検出手段により検出された場合に、選択操作に従い選択状態にある項目を変更する選択状態変更手段と、選択状態変更手段により選択状態にある項目が変更された場合に、選択状態となった項目の内容を表す音声を音声出力手段に出力させる選択状態報知手段と、選択状態にある項目を選択項目として決定するための所定の決定操作が操作検出手段により検出された場合に、選択状態にある項目を選択項目として決定する選択状態決定手段として機能させる。
【００２１】
このような車両用操作プログラムによれば、請求項１に記載の車両用操作装置としてコンピュータを機能させることができ、これにより前述した効果を得ることができる。
【発明を実施するための最良の形態】
【００２２】
以下、本発明が適用された実施形態について、図面を用いて説明する。
［１．全体構成］
図１は、実施形態の車両用操作装置の概略構成を表すブロック図である。また、図２は、この車両用操作装置が搭載された車両室内の様子を表す模式図である。
【００２３】
車両用操作装置は、車両に搭載された状態で用いられるものであり、ナビゲーションＥＣＵ１０と、ステアリングセンサ２０と、車輪速センサ３０と、ステアリングスイッチ４０と、音声入力装置５０と、記憶装置６０と、タッチパネル式液晶ディスプレイ７０と、音声出力装置８０とを備えている。
【００２４】
ナビゲーションＥＣＵ１０は、ＣＰＵ、ＲＯＭ、ＲＡＭ等からなるマイクロコンピュータを中心として構成された電子制御装置であり、地図上における車両の現在位置を特定し、経路案内等の処理を行う。また、ナビゲーションＥＣＵ１０のＲＯＭには、後述する各種処理（図４、図６〜図９）をＣＰＵに実行させるためのプログラムが記憶されている。
【００２５】
ステアリングセンサ２０は、ステアリングホイール９０の操作による車両の操舵角を検出するセンサである。そして、ナビゲーションＥＣＵ１０は、ステアリングセンサ２０による検出値を入力し、その検出値に基づき車両の操舵角を把握する。
【００２６】
車輪速センサ３０は、車輪の回転速度を検出するセンサである。そして、ナビゲーションＥＣＵ１０は、車輪速センサ３０による検出値を入力し、その検出値に基づき車両の速度を演算することにより車両の速度を把握する。
【００２７】
ステアリングスイッチ４０は、車両の運転者による手動操作を検出するためのものであり、ステアリングホイール９０に配置されている（図２参照）。具体的には、ステアリングホイール９０における左側（運転者が左手で操作可能な領域）に、上下左右の方向を指示するためのスクロールスイッチ４１を備えている。また、ステアリングホイール９０における右側（運転者が右手で操作可能な領域）に、４つのボタン（決定ボタン４２、訂正ボタン４３、完了ボタン４４及び候補ボタン４５）を備えている。そして、ナビゲーションＥＣＵ１０は、ステアリングスイッチ４０による手動操作の検出値を入力し、その検出値に基づきステアリングスイッチ４０で行われた手動操作の内容を把握する。
【００２８】
音声入力装置５０は、車両室内に設置されたマイクロホン（図示せず）から運転者の音声を入力するためのものである。そして、ナビゲーションＥＣＵ１０は、音声入力装置５０により入力された音声を音声信号の形で入力し、音声認識処理を行うことにより音声の内容（音声の表す文字列）を把握する。
【００２９】
記憶装置６０は、ハードディスクに地図情報等の各種情報を記憶する。そして、ナビゲーションＥＣＵ１０は、記憶装置６０に記憶された情報の読み出し及び情報の書込みを行う。
【００３０】
タッチパネル式液晶ディスプレイ（以下、単に「ディスプレイ」という。）７０は、運転者が視認可能な状態で情報を表示するための表示画面上に、運転者によるタッチ操作が可能なタッチパネルが一体に設けられたものである。そして、ナビゲーションＥＣＵ１０は、ディスプレイ７０に表示させるための各種情報を出力するとともに、タッチパネルにおけるタッチ操作の検出値を入力する。
【００３１】
音声出力装置８０は、車両室内に設置されたスピーカから音声を出力するためのものであり、ナビゲーションＥＣＵ１０は、音声出力装置８０に出力させるための音声情報を出力する。
【００３２】
［２．車両用操作装置が行う処理］
本実施形態の車両用操作装置は、選択対象となる複数の項目をディスプレイ７０に表示させるとともに、その中から１つの項目を選択させる操作を運転者に行わせる。
【００３３】
例えば、図３に示す表示画面は、地図表示画面の一例であり、地図表示の左側に、実行可能な処理の内容（この例では「メニュー」、「設定」、「入力」、…）が複数の項目として表示されている。そして、この表示画面においては、１つの項目が選択項目として決定されることにより、その項目に対応する処理が実行される。
【００３４】
また例えば、図４に示す表示画面は、目的地等を任意の文字列として指定するための５０音入力画面であり、各文字が複数の項目として表示されている。そして、この表示画面においては、１つの項目が選択項目として決定されることによりその文字が入力済文字列に追加され、これを繰り返すことにより入力済文字列が決定される。
【００３５】
このような表示画面において、複数の項目のうちの１つが暫定的な選択状態となっており、他の項目と識別可能な状態（例えば、項目画像の一部又は全部の色を変化させた状態）で表示されており、スクロールスイッチ４１を押下することで選択状態にある項目が変更される。例えば、スクロールスイッチ４１により下方向の操作が行われると、それまで選択状態にあった項目の選択状態が解除されるとともに、その項目の下に位置する項目が新たに選択状態となる。つまり、上下左右方向の操作に従い選択状態の位置が移動することになる。そして、決定ボタン４２を押下すると、その時点で選択状態にある項目が選択項目として決定される。
【００３６】
特に、本実施形態の車両用操作装置では、スクロールスイッチ４１により選択状態にある項目を変更させるごとに、選択状態となった項目の内容が音声出力され、表示画面を視認しなくても選択状態にある項目を把握できるようになっている。
【００３７】
［３．ナビゲーションＥＣＵが実行する処理］
ここで、このような処理を実現するためにナビゲーションＥＣＵ１０が実行する処理の具体的内容について説明する。
【００３８】
［３−１．項目選択処理］
まず、図３に示すような表示画面がディスプレイ７０に表示されている状態において、ナビゲーションＥＣＵ１０が実行する項目選択処理について、図４のフローチャートを用いて説明する。
【００３９】
ナビゲーションＥＣＵ１０は、項目選択処理を開始すると、まず、Ｓ１０１で、スクロールスイッチ４１を押下する手動操作が運転者により行われたか否かを判定する。つまり、選択対象の複数の項目において暫定的な選択状態にある項目を変更するための選択操作が行われたか否かを判定する。
【００４０】
そして、Ｓ１０１で、選択操作が行われたと判定した場合には、Ｓ１０２へ移行し、その選択操作の内容（基本的には上下左右方向であるが、斜め方向を含めてもよい。）に従い、選択状態にある項目を変更（表示内容を更新）する。なお、図３の例のように、選択対象となる複数の項目が上下方向にのみ並んでいるような場合には、左右方向の操作は無効とする。
【００４１】
続いて、Ｓ１０３では、この時点で選択状態にある項目の内容を表す音声を音声出力装置８０に出力させる。例えば、選択状態にある項目が「設定」の場合、「せってい」と音声出力されることとなる。その後、Ｓ１０４へ移行する。
【００４２】
一方、Ｓ１０１で、選択操作が行われていないと判定した場合にも、そのままＳ１０４へ移行する。
Ｓ１０４では、決定ボタン４２を押下する手動操作が運転者により行われたか否かを判定する。
【００４３】
そして、Ｓ１０４で、決定ボタン４２を押下する操作が行われていないと判定した場合には、Ｓ１０１へ戻る。つまり、決定ボタン４２が押下されるまでの間、Ｓ１０１〜Ｓ１０３の処理が繰り返されることになる。
【００４４】
一方、Ｓ１０４で、決定ボタン４２を押下する操作が行われたと判定した場合には、Ｓ１０５へ移行し、この時点で選択状態にある項目の内容を表す音声を音声出力装置８０に出力させる。つまり、前回音声出力された内容が再度音声出力されることとなる。
【００４５】
続いて、Ｓ１０６では、訂正ボタン４３を押下する手動操作が運転者により行われたか否かを判定する。
そして、Ｓ１０６で、訂正ボタン４３を押下する操作が行われたと判定した場合には、Ｓ１０１へ戻る。つまり、決定ボタン４２を押下した操作が取り消された状態となる。
【００４６】
一方、Ｓ１０６で、訂正ボタン４３を押下する操作が行われていないと判定した場合には、Ｓ１０７へ移行し、完了ボタン４４を押下する手動操作が運転者により行われたか否かを判定する。
【００４７】
そして、Ｓ１０７で、完了ボタン４４を押下する操作が行われていないと判定した場合には、Ｓ１０６へ戻る。つまり、訂正ボタン４３及び完了ボタン４４のいずれか一方が押下されるまでの間、待機状態となる。
【００４８】
一方、Ｓ１０７で、完了ボタン４４を押下する操作が行われたと判定した場合には、Ｓ１０８へ移行し、この時点で選択状態にある項目を選択項目として決定した後、本項目選択処理を終了する。これにより、選択項目に応じた処理が実行されることとなる。
【００４９】
［３−２．目的地設定処理］
次に、図５に示すように、目的地を文字列で指定するための表示画面（５０音入力画面）がディスプレイ７０に表示されている状態において、ナビゲーションＥＣＵ１０が実行する目的地設定処理について、図６のフローチャートを用いて説明する。なお、図示しないが、表示画面には、入力済の文字列が表示されるものとする。
【００５０】
ナビゲーションＥＣＵ１０は、目的地設定処理を開始すると、まず、Ｓ２０１で、スクロールスイッチ４１を押下する手動操作が運転者により行われたか否かを判定する。つまり、選択対象の複数の項目において暫定的な選択状態にある項目を変更するための選択操作が行われたか否かを判定する。
【００５１】
そして、Ｓ２０１で、選択操作が行われたと判定した場合には、Ｓ２０２へ移行し、その選択操作の内容（上下左右方向）に従い、選択状態にある項目を変更（表示内容を更新）する。
【００５２】
続いて、Ｓ２０３では、スクロールスイッチ４１の押下状態が継続されているか否かを判定する。つまり、スクロールスイッチ４１が押し続けられているか否かを判定する。
そして、Ｓ２０３で、スクロールスイッチ４１の押下状態が継続されていると判定した場合には、Ｓ２０４へ移行し、高速スクロール処理を行う。具体的には、選択操作の内容（上下左右方向）に従い、音声出力を行わずに選択状態にある項目を変更する処理を行う。
【００５３】
続いて、Ｓ２０５では、スクロールスイッチ４１の押下状態が解除されたか否かを判定する。
そして、Ｓ２０５で、スクロールスイッチ４１の押下状態が解除されていないと判定した場合には、Ｓ２０４へ戻る。つまり、スクロールスイッチ４１を押し続けることで、選択状態の位置を通常の選択操作よりも高速で（音声出力を省略して）移動させることができるようにしている。
【００５４】
一方、Ｓ２０５で、スクロールスイッチ４１の押下状態が解除されたと判定した場合には、Ｓ２０６へ移行する。
また、Ｓ２０３で、スクロールスイッチ４１の押下状態が継続されていない（通常の選択操作である）と判定した場合にも、そのままＳ２０６へ移行する。
【００５５】
Ｓ２０６では、この時点で選択状態にある項目の内容を表す音声を音声出力装置８０に出力させる。例えば、選択状態にある項目が「け」の場合、「け」と音声出力されることとなる。その後、Ｓ２０７へ移行する。
【００５６】
一方、Ｓ２０１で、選択操作が行われていないと判定した場合にも、そのままＳ２０７へ移行する。
Ｓ２０７では、決定ボタン４２を押下する手動操作が運転者により行われたか否かを判定する。
【００５７】
そして、Ｓ２０７で、決定ボタン４２を押下する操作が行われたと判定した場合には、Ｓ２０８へ移行し、この時点で選択状態にある項目（文字）を、入力済文字列の最後尾の文字（入力済文字列が存在しない場合には先頭の文字）として追加する。つまり、この時点で選択状態にある項目を選択項目として決定する。なお、決定ボタン４２を押下する操作が行われたと判定した場合に直ちに選択項目として決定するのではなく、選択状態にある項目の内容を確認のため再度音声出力し、決定ボタン４２が再度押下された場合に選択項目として決定するようにしてもよい。
【００５８】
続いて、Ｓ２０９では、表示画面に表示されている入力済文字列を更新する。
続いて、Ｓ２１０では、入力済文字列の内容を表す音声を音声出力装置８０に出力させる。その後、Ｓ２１１へ移行する。
【００５９】
一方、Ｓ２０７で、決定ボタン４２を押下する操作が行われていないと判定した場合にも、そのままＳ２１１へ移行する。
Ｓ２１１では、訂正ボタン４３を押下する手動操作が運転者により行われたか否かを判定する。
【００６０】
そして、Ｓ２１１で、訂正ボタン４３を押下する操作が行われたと判定した場合には、Ｓ２１２へ移行し、入力済文字列の最後尾の文字を削除する。つまり、決定ボタン４２を押下した操作が取り消された状態となる。
【００６１】
続いて、Ｓ２１３では、表示画面に表示されている入力済文字列を更新する。
続いて、Ｓ２１４では、入力済文字列の内容を表す音声を音声出力装置８０に出力させる。その後、Ｓ２１５へ移行する。
【００６２】
一方、Ｓ２１１で、訂正ボタン４３を押下する操作が行われていないと判定した場合にも、そのままＳ２１５へ移行する。
Ｓ２１５では、候補ボタン４５を押下する手動操作が運転者により行われたか否かを判定する。
【００６３】
そして、Ｓ２１５で、候補ボタン４５を押下する操作が行われたと判定した場合には、Ｓ２１６へ移行し、文字列の候補を検索する。具体的には、記憶装置６０の地図情報に登録されている文字列（この例では、目的地の対象となる文字列）のうち、入力済文字列の部分が共通するものを検索する。例えば、入力済文字列が「なごや」の場合、「なごやじょう」や「なごやしやくしょ」等が候補として検索される。
【００６４】
続いて、Ｓ２１７では、検索された候補の１つの内容を表す音声を音声出力装置８０に出力させる。すなわち、後述するように、このＳ２１７の処理は、訂正ボタン４３又は完了ボタン４４が押下されない限り繰り返されることとなり、検索された複数の候補を順番に（規則的に）音声出力する。なお、スクロールスイッチ４１が押されるごとに候補を１つずつ音声出力するようにしてもよい。
【００６５】
続いて、Ｓ２１８では、訂正ボタン４３を押下する手動操作が運転者により行われたか否かを判定する。
そして、Ｓ２１８で、訂正ボタン４３を押下する操作が行われていないと判定した場合には、Ｓ２１９へ移行し、完了ボタン４４を押下する手動操作が運転者により行われたか否かを判定する。
【００６６】
そして、Ｓ２１９で、完了ボタン４４を押下する操作が行われていないと判定した場合には、Ｓ２１７へ戻る。つまり、前述したように、訂正ボタン４３及び完了ボタン４４のいずれか一方が押下されるまでの間、Ｓ２１７の処理が繰り返されることになる。
【００６７】
一方、Ｓ２１９で、完了ボタン４４を押下する操作が行われたと判定した場合には、Ｓ２２１へ移行し、完了ボタン４４が押下された時点での入力済文字列（この場合には、直前に音声出力された候補）を目的地に設定した後、本目的地設定処理を終了する。
【００６８】
また、Ｓ２１８で、訂正ボタン４３を押下する操作が行われたと判定した場合には、Ｓ２２０へ移行する。
一方、Ｓ２１５で、候補ボタン４５を押下する操作が行われていないと判定した場合にも、そのままＳ２２０へ移行する。
【００６９】
Ｓ２２０では、完了ボタン４４を押下する手動操作が運転者により行われたか否かを判定する。
そして、Ｓ２２０で、完了ボタン４４を押下する操作が行われていないと判定した場合には、Ｓ２０１へ戻る。
【００７０】
一方、Ｓ２２０で、完了ボタン４４を押下する操作が行われたと判定した場合には、Ｓ２２１へ移行し、完了ボタン４４が押下された時点での入力済文字列を目的地に設定した後、本目的地設定処理を終了する。
【００７１】
［３−３．音声操作処理］
次に、音声による入力操作が行われた場合にナビゲーションＥＣＵ１０が実行する音声操作処理について、図７のフローチャートを用いて説明する。
【００７２】
ナビゲーションＥＣＵ１０は、音声操作処理を開始すると、まず、Ｓ３０１で、音声入力装置５０により入力された音声の音声認識処理を行い、認識結果の内容を表す音声を音声出力装置８０に出力させる。
【００７３】
続いて、Ｓ３０２では、訂正ボタン４３を押下する手動操作が運転者により行われたか否かを判定する。
そして、Ｓ３０２で、訂正ボタン４３を押下する操作が行われたと判定した場合には、Ｓ３０３へ移行し、認識結果の文字列を最初の文字から順に１文字単位で音声出力する。つまり、認識結果が誤っていることを示す操作（訂正ボタン４３の押下）が行われた場合には、その認識結果を１文字単位で音声出力することにより、誤認識されている文字を運転者に指定させるようにしている。具体的には、後述するように、このＳ３０３の処理は、スクロールスイッチ４１が押されるごとに繰り返され、スクロールスイッチ４１が１回押されるごとに１文字を音声出力する。なお、一定の時間間隔で１文字ずつ自動的に音声出力されるようにしてもよい。
【００７４】
続いて、Ｓ３０４では、スクロールスイッチ４１を押下する手動操作が運転者により行われたか否かを判定する。なお、ここでは、単にスクロールスイッチ４１が押下されたか否かを判定するようにしているが、例えば、スクロールスイッチ４１における所定の方向（例えば下方向）の押下のみに限定するようにしてもよい。
【００７５】
そして、Ｓ３０４で、スクロールスイッチ４１を押下する操作が行われたと判定した場合には、Ｓ３０３へ戻る。つまり、前述したように、スクロールスイッチ４１を押下するごとに、文字列が１文字ずつ音声出力されることになる。また、スクロールスイッチ４１が押下された場合には、その直前に音声出力した文字は正しく認識されていることが確認されたことになり、確認済文字列として記憶される。
【００７６】
一方、Ｓ３０４で、スクロールスイッチ４１を押下する操作が行われていないと判定した場合には、Ｓ３０５へ移行し、訂正ボタン４３を押下する手動操作が運転者により行われたか否かを判定する。
【００７７】
そして、Ｓ３０５で、訂正ボタン４３を押下する操作が行われていないと判定した場合には、Ｓ３０４へ戻る。
一方、Ｓ３０５で、訂正ボタン４３を押下する操作が行われたと判定した場合には、Ｓ３０６へ移行し、図４に示す５０音入力画面を表示する。つまり、訂正ボタン４３が押下された場合には、その直前に音声出力した文字が誤認識されているものとみなし、正しい文字を運転者に指定させるのである。なお、５０音入力画面は、前述したＳ３０２の処理で訂正ボタン４３を押下する操作が行われたと判定した時点で表示するようにしてもよい。
【００７８】
続いて、Ｓ３０７では、スクロールスイッチ４１を押下する手動操作が運転者により行われたか否かを判定する。つまり、選択対象の複数の項目において暫定的な選択状態にある項目を変更するための選択操作が行われたか否かを判定する。
【００７９】
そして、Ｓ３０７で、選択操作が行われたと判定した場合には、Ｓ３０８へ移行し、その選択操作の内容（上下左右方向）に従い、選択状態にある項目を変更（表示内容を更新）する。
【００８０】
続いて、Ｓ３０９では、この時点で選択状態にある項目の内容を表す音声を音声出力装置８０に出力させる。その後、Ｓ３１０へ移行する。
一方、Ｓ３０７で、選択操作が行われていないと判定した場合にも、そのままＳ３１０へ移行する。
【００８１】
Ｓ３１０では、決定ボタン４２を押下する手動操作が運転者により行われたか否かを判定する。
そして、Ｓ３１０で、決定ボタン４２を押下する操作が行われていないと判定した場合には、Ｓ３１１へ移行し、候補ボタン４５を押下する手動操作が運転者により行われたか否かを判定する。
【００８２】
そして、Ｓ３１１で、候補ボタン４５を押下する操作が行われていないと判定した場合には、Ｓ３０７へ戻る。つまり、決定ボタン４２及び候補ボタン４５のいずれか一方が押下されるまでの間、Ｓ３０７〜Ｓ３０９の処理が繰り返されることになる。
【００８３】
一方、Ｓ３１１で、候補ボタン４５を押下する操作が行われたと判定した場合には、Ｓ３１３へ移行する。
また、Ｓ３１０で、決定ボタン４２を押下する操作が行われたと判定した場合には、Ｓ３１２へ移行し、この時点で選択状態にある項目（文字）を確認済文字列として記憶した上で、Ｓ３１３へ移行する。
【００８４】
Ｓ３１３では、確認済文字列の部分が共通する文字列を、音声認識の対象となる文字列（例えば各種コマンドを表す文字列）の中から検索する。
続いて、Ｓ３１４では、検索された候補の１つの内容を表す音声を音声出力装置８０に出力させる。すなわち、後述するように、このＳ３１４の処理は、訂正ボタン４３又は完了ボタン４４が押下されない限り繰り返されることとなり、検索された複数の候補を一定の時間間隔で順番に（規則的に）音声出力する。なお、スクロールスイッチ４１が押されるごとに候補を１つずつ音声出力するようにしてもよい。
【００８５】
続いて、Ｓ３１５では、訂正ボタン４３を押下する手動操作が運転者により行われたか否かを判定する。
そして、Ｓ３１５で、訂正ボタン４３を押下する操作が行われていないと判定した場合には、Ｓ３１６へ移行し、完了ボタン４４を押下する手動操作が運転者により行われたか否かを判定する。
【００８６】
そして、Ｓ３１６で、完了ボタン４４を押下する操作が行われていないと判定した場合には、Ｓ３１４へ戻る。つまり、前述したように、訂正ボタン４３及び完了ボタン４４のいずれか一方が押下されるまでの間、Ｓ３１４の処理が繰り返されることになる。
【００８７】
一方、Ｓ３１６で、完了ボタン４４を押下する操作が行われたと判定した場合には、本目的地設定処理を終了する。この場合には、完了ボタン４４が押下された時点で音声出力されていた候補の内容を音声入力された内容とみなし、その内容に基づく処理を実行する。
【００８８】
また、Ｓ３１５で、訂正ボタン４３を押下する操作が行われたと判定した場合には、Ｓ３０３へ戻る。つまり、候補が多すぎるような場合に、１文字単位での訂正を再開できるようにしている。
【００８９】
一方、Ｓ３０２で、訂正ボタン４３を押下する操作が行われていないと判定した場合には、Ｓ３１７へ移行し、完了ボタン４４を押下する手動操作が運転者により行われたか否かを判定する。
【００９０】
そして、Ｓ３１７で、完了ボタン４４を押下する操作が行われていないと判定した場合には、Ｓ３０２へ戻る。つまり、訂正ボタン４３及び完了ボタン４４のいずれか一方が押下されるまでの間、待機状態となる。
【００９１】
一方、Ｓ３１７で、完了ボタン４４を押下する操作が行われたと判定した場合には、本音声操作処理を終了する。この場合、認識結果が正しいとみなし、その内容に基づく処理を実行する。なお、音声入力の内容に基づく具体的な処理については、本発明とは直接関係がないため説明を省略する。
【００９２】
［３−４．作動条件設定処理］
次に、作動条件の設定を開始するための操作（例えば、表示画面に表示されている作動条件設定用の項目を選択する操作）が行われることによりナビゲーションＥＣＵ１０が実行する作動条件設定処理について、図８のフローチャートを用いて説明する。
【００９３】
ナビゲーションＥＣＵ１０は、作動条件設定処理を開始すると、まず、Ｓ４０１で、運転者から作動条件を入力する。ここで、作動条件とは、運転者による手動操作を許可する条件であり、例えば、車両の操舵角が所定範囲内であること、車両の速度が所定範囲内であること、カーブや右左折地点が前方の所定距離内（例えば前方の案内経路における５００ｍ以内）に存在しないこと等が挙げられる。すなわち、車両が渋滞で低速走行している状況や逆に高速走行している状況や、ハンドル操作が行われている状況や、前方にカーブや右左折地点が存在している状況等において、安全のために手動操作を禁止するのである。ただし、手動操作可能な状況を必要以上に制限すると利便性が悪化してしまう。また、どの程度制限すべきかは個々の運転者の運転技術や好みによって異なる。そこで、本実施形態では、作動条件を運転者が設定（変更）できるようにしている。なお、作動条件の設定は、例えば、作動条件設定用の表示画面をディスプレイ７０に表示させることにより行わせることができる。
【００９４】
続いて、Ｓ４０２では、Ｓ４０１で入力した作動条件を記憶装置６０に記憶させる。その後、本作動条件設定処理を終了する。
［３−５．操作モード変更処理］
次に、ナビゲーションＥＣＵ１０が常時（具体的には、例えば１００ｍｓごとなど定期的に）実行する操作モード変更処理について、図９のフローチャートを用いて説明する。
【００９５】
ナビゲーションＥＣＵ１０は、操作モード変更処理を開始すると、まず、Ｓ５０１で、記憶装置６０に記憶されている作動条件を読み出す。なお、この作動条件は、前述した作動条件設定処理（図８）で運転者により設定（更新）されたものである。
【００９６】
続いて、Ｓ５０２では、この時点での運転状況が作動条件を満たしているか否かを判定する。ここで、運転状況としては、例えば、ステアリングセンサ２０の検出値に基づき把握される車両の操舵角や、車輪速センサ３０の検出値に基づき把握される車両の速度や、地図情報に基づき把握される前方道路の情報などが挙げられる。
【００９７】
そして、Ｓ５０２で、作動条件を満たしていると判定した場合には、Ｓ５０３へ移行し、本車両用操作装置の動作モードを、運転者による手動操作を許可する操作許可モードに設定する。これにより、ステアリングスイッチ４０による手動操作が有効となる。その後、本操作モード変更処理を終了する。
【００９８】
一方、Ｓ５０２で、作動条件を満たしていない判定した場合には、Ｓ５０４へ移行し、本車両用操作装置の動作モードを、運転者による手動操作を禁止する操作許可モードに設定する。これにより、ステアリングスイッチ４０による手動操作が無効となる。その後、本操作モード変更処理を終了する。
【００９９】
［４．実施形態の効果］
以上説明したように、本実施形態の車両用操作装置では、選択操作により選択状態にある項目を変更させるごとに、選択状態となった項目の内容が音声出力されるため、運転者は、表示されている複数の項目のうちどの項目が選択状態にあるかを、表示内容を視認することなく把握することができる。つまり、運転者は、表示内容を視認するために視線をそらすことなく、所望の項目を選択することが可能となる。
【０１００】
したがって、本実施形態の車両用操作装置によれば、表示内容を視認しつつ手動操作を行う場合に比べ、車両の運転中における操作の安全性を向上させることができる。また、音声認識による認識結果に誤りがある場合にも、表示内容を視認することなく認識結果を訂正することができる。
【０１０１】
また、本実施形態の車両用操作装置では、選択操作後に決定ボタン４２を押下する操作を行うと、選択状態にある項目の内容が再度音声出力されるため、所望の項目とは異なる項目を誤って選択してしまうことを生じにくくすることができる。
【０１０２】
また、本実施形態の車両用操作装置では、運転状況が作動条件を満たさない場合には手動操作を禁止するようにしており、運転が妨げられにくい状況でのみ手動操作が許可されるようにすることが可能となるため、安全性を一層向上させることができる。
【０１０３】
特に、作動条件を運転者が設定できるようにしているため、運転者の運転技術や好み等に応じて変更することができる。
一方、本実施形態の車両用操作装置では、ステアリングスイッチ４０が、車両のステアリングホイール９０に配置されているため、運転者は、運転中の手動操作をより安全に行うことができる。特に、スクロールスイッチ４１と、決定ボタン４２、訂正ボタン４３、完了ボタン４４及び候補ボタン４５とが、ステアリングホイール９０の左右両側に分離して配置されているため、誤操作により意に反した処理が実行されてしまうことを防ぐことができる。
【０１０４】
また、本実施形態の車両用操作装置では、入力された音声の認識結果を音声出力し、運転者からの指摘により認識結果が誤っていると判定した場合に、認識結果を１文字単位で音声出力しつつ誤認識されている文字を運転者に指定させる。このように、認識結果が１文字単位で出力されるため、運転者は、出力された文字が正しいか否かという情報をスクロールスイッチ４１及び訂正ボタン４３で伝えればよく、表示内容を視認しつつ認識結果を訂正する場合に比べ、車両の運転中における操作の安全性を向上させることができる。
【０１０５】
［５．特許請求の範囲との対応］
なお、本実施形態の車両用操作装置では、ステアリングセンサ２０、車輪速センサ３０及び記憶装置６０が、本発明の運転状況検出手段に相当し、ステアリングスイッチ４０が、本発明の操作検出手段に相当する。また、音声入力装置５０が、本発明の音声入力手段に相当し、ディスプレイ７０が、本発明の表示手段に相当し、音声出力装置８０が、本発明の音声出力手段に相当する。
【０１０６】
また、前述したＳ３０１の処理を実行するナビゲーションＥＣＵ１０が、本発明の音声反復手段に相当し、前述したＳ３０２〜Ｓ３０６の処理を実行するナビゲーションＥＣＵ１０が、本発明の訂正手段に相当する。
【０１０７】
また、前述したＳ１０１，Ｓ１０２，Ｓ２０１，Ｓ２０２，Ｓ３０７，Ｓ３０８の各処理を実行するナビゲーションＥＣＵ１０が、本発明の選択状態変更手段に相当し、前述したＳ１０３，Ｓ２０６，Ｓ３０９の各処理を実行するナビゲーションＥＣＵ１０が、本発明の選択状態報知手段に相当し、前述したＳ１０４〜Ｓ１０８，Ｓ２０７，Ｓ２０８，Ｓ３１０，Ｓ３１２の各処理を実行するナビゲーションＥＣＵ１０が、本発明の選択状態決定手段に相当する。
【０１０８】
また、前述したＳ４０１，Ｓ４０２の処理を実行するナビゲーションＥＣＵ１０が、本発明の条件設定手段に相当し、前述したＳ５０１，Ｓ５０２，Ｓ５０４の処理を実行するナビゲーションＥＣＵ１０が、本発明の禁止手段に相当する。
【０１０９】
［６．他の形態］
以上、本発明の一実施形態について説明したが、本発明は、種々の形態を採り得ることは言うまでもない。
【０１１０】
例えば、上記実施形態では、ステアリングホイール９０に配置されたステアリングスイッチ４０で手動操作を行う構成を例示したが、本発明はこれに限定されるものではなく、運転者が手動操作可能な構成であればよい。ただし、運転中の手動操作の安全性の面では、上記実施形態のように運転者の手元で手動操作可能な構成がより好ましい。
【図面の簡単な説明】
【０１１１】
【図１】実施形態の車両用操作装置の概略構成を表すブロック図である。
【図２】実施形態の車両用操作装置が搭載された車両室内の様子を表す模式図である。
【図３】地図表示画面の説明図である。
【図４】５０音入力画面の説明図である。
【図５】項目選択処理のフローチャートである。
【図６】目的地設定処理のフローチャートである。
【図７】音声操作処理のフローチャートである。
【図８】作動条件設定処理のフローチャートである。
【図９】操作モード変更処理のフローチャートである。
【符号の説明】
【０１１２】
１０…ナビゲーションＥＣＵ、２０…ステアリングセンサ、３０…車輪速センサ、４０…ステアリングスイッチ、４１…スクロールスイッチ、４２…決定ボタン、４３…訂正ボタン、４４…完了ボタン、４５…候補ボタン、５０…音声入力装置、６０…記憶装置、７０…タッチパネル式液晶ディスプレイ、８０…音声出力装置、９０…ステアリングホイール
【図１】
2009046082.tif 000003
【図４】
2009046082.tif 000004
【図６】
2009046082.tif 000005
【図７】
2009046082.tif 000006
【図８】
2009046082.tif 000007
【図９】
2009046082.tif 000008
【図２】
2009046082.tif 000009
【図３】
2009046082.tif 000010
【図５】
2009046082.tif 000011